(57)【要約】【課題】植えられた植物の生育状況に応じて、適切な補光を行う。【解決手段】２本の略平行に並んだ連続したレールからなり、植えられた植物の周囲に張り巡らされたレール部１０と、レール部１０上をその最上端から最下端へ向かって転がり落ちながら、植物に対して光を照射する球体の発光部２０と、無端ベルト３０３に設置されたバケット３０４によって、レール部１０の最下端へ到達した発光部２０をレール部１０の最上端へ移送する送り装置３０と、システムの各部を動作させるための電源部４０から構成される。【選択図】図１
2011092022.tif 000002
【特許請求の範囲】
【請求項１】
植えられた植物に対して光を照射する植物補光システムであって、
前記植物の周囲に傾斜して張り巡らされるレール部と、
前記レール部上をその最上端から最下端へ向かって転がりながら、前記植物に対して光を照射する球体の発光部と、
前記レール部の最下端へ到達した前記発光部を、前記レール部の最上端へ移送する送り装置と、
を具備した植物補光システム。
【請求項２】
請求項１に記載の植物補光システムであって、
前記発光部は、
球状の容器と、
前記容器内に収容され、ＬＥＤと電池を備えてなる光源部と、
から構成された植物補光システム。
【請求項３】
請求項１又は２に記載の植物補光システムであって、
前記電池は、
一次電池である植物補光システム。
【請求項４】
請求項１又は２に記載の植物補光システムであって、
前記電池は、
二次電池である植物補光システム。
【請求項５】
請求項４に記載の植物補光システムであって、
前記レール部は、
前記二次電池を充電するための充電装置を具備した植物補光システム。
【請求項６】
請求項４に記載の植物補光システムであって、
前記送り装置は、
前記二次電池を充電するための充電装置を具備した植物補光システム。
【請求項７】
請求項５又は６に記載の植物補光システムであって、
前記充電装置は、
前記二次電池に対して接触給電を行う植物補光システム。
【請求項８】
請求項５又は６に記載の植物補光システムであって、
前記充電装置は、
前記二次電池に対して非接触給電を行う植物補光システム。
【請求項９】
請求項１乃至８のいずれかに記載の植物補光システムであって、
前記レール部は、
前記発光部の転がり落ちを一時停止させるための邪魔板を具備した
植物補光システム。
【請求項１０】
請求項１乃至９のいずれかに記載の植物補光システムであって、
前記送り装置は、
バケットコンベアである
植物補光システム。
【発明の詳細な説明】
【技術分野】
【０００１】
本発明は、植えられた植物の生育を促進するために用いられる植物補光システムに関する。
【０００２】
従来から、屋内において植物を栽培する場合に、慢性的な日照不足を解消したり、病害を低減するために、人工的な光による補光が行われている。例えば、植物の上方と側方、及び下方の各位置に照明器具を設置して、比較的密生して植えられた植物に満遍なく人工的な光を照射する植物補光システムが提案されている（例えば、特許文献１参照）。
【０００３】
しかしながら、特許文献１に記載された植物補光システムは、固定して設置された長尺の照明器具を用いるものであり、植物の生育状況に応じた適切な補光ができないという問題点がある。
【先行技術文献】
【特許文献】
【０００４】
【特許文献１】特開２００５−３２８７０２号公報
【発明の概要】
【発明が解決しようとする課題】
【０００５】
本発明は、前記実情に鑑みてなされたもので、植えられた植物の生育状況に応じて、適切な補光を行うことのできる植物補光システムを提供することを目的とする。
【課題を解決するための手段】
【０００６】
本発明の植物補光システムは、植えられた植物に対して光を照射する植物補光システムであって、前記植物の周囲に傾斜して張り巡らされるレール部と、前記レール部上をその最上端から最下端へ向かって転がり落ちながら、前記植物に対して光を照射する球体の発光部と、前記レール部の最下端へ到達した前記発光部を、前記レール部の最上端へ移送する送り装置と、を具備したことを特徴とするものである。
【０００７】
この構成により、植えられた植物の生育状況に応じて、適切な補光を行うことができる。また、近接して植えられた植物の間からでも光を照射することができる。更に、普段は光が当りにくく、湿りがちな植物の下部にも効果的に光を照射できるため、植物の乾燥を抑えたり、或いは、適切に光のストレスを与えることによって、病気に対する抵抗力を高め、発病を抑えることが可能となる。
【０００８】
また、本発明は、上記の植物補光システムにおいて、球状の容器と、前記容器内に収容され、ＬＥＤと電池を備えてなる光源部と、から構成されることを特徴とするものである。
【０００９】
この構成により、発光部が球状であるので、レール部に移動用のローラなどを設ける必要がなく、装置を簡略化することができる。またこの球状の容器は透光性樹脂で構成されるのが望ましい。
【００１０】
また、本発明は、上記の植物補光システムにおいて、前記電池は、一次電池であることを特徴とするものである。
【００１１】
この構成により、発光部を小型に構成することができ、近接して植えられた植物の間からでも光を照射することが可能となる。
【００１２】
また、本発明は、上記の植物補光システムにおいて、前記電池は、二次電池であることを特徴とするものである。
【００１３】
この構成により、発光部を小型に構成することができ、近接して植えられた植物の間からでも光を照射できると共に、補光を行いながらの給電が可能であり、メンテナンスが容易となる。
【００１４】
また、本発明は、上記の植物補光システムにおいて、前記レール部は、前記二次電池を充電するための充電装置を備えることを特徴とするものである。
【００１５】
この構成により、発光部を小型に構成することができ、近接して植えられた植物の間からでも光を照射できると共に、補光を行いながらの給電が可能であり、メンテナンスが容易となる。
【００１６】
また、本発明は、上記の植物補光システムにおいて、前記送り装置は、前記二次電池を充電するための充電装置を備えることを特徴とするものである。
【００１７】
この構成により、補光途中での給電が可能であり、メンテナンスが容易となる。
【００１８】
また、本発明は、上記の植物補光システムにおいて、前記充電装置は、前記二次電池に対して接触給電を行うことを特徴とするものである。
【００１９】
この構成により、発光部は、レール部又は送り装置と接触した状態で給電されるので、補光を行いながらの給電が可能であり、メンテナンスが容易となる。
【００２０】
また、本発明は、上記の植物補光システムにおいて、前記充電装置は、前記二次電池に対して非接触給電を行うことを特徴とするものである。
【００２１】
この構成により、発光部は、レール部を転がり落ちて補光を行いながらの給電が可能であり、メンテナンスが容易となる。
【００２２】
また、本発明は、上記の植物補光システムにおいて、前記レール部は、前記発光部の転がり落ちを一時停止させるための邪魔板を備えることを特徴とするものである。
【００２３】
この構成により、植えられた植物の部位や生育状況に応じて、適切な補光を行うことができる。
【００２４】
また、本発明は、上記の植物補光システムにおいて、前記送り装置は、バケットコンベアであることを特徴とするものである。
【００２５】
この構成により、レール部の最下端に到達した発光部をレール部の最上端へ容易に移送することができ、植えられた植物の部位や生育状況に応じて、適切な補光を行うことが可能となる。
【発明の効果】
【００２６】
本発明によれば、近接して植えられた植物の生育状況に応じて、適切な補光を行うことができる植物補光システムを提供できる。
【図面の簡単な説明】
【００２７】
【図１】本発明の実施の形態に係る植物補光システムの概略構成を示す図
【図２】本発明の実施の形態に係る植物補光システムにおいて、レール部の概略構成を示す斜視図
【図３】本発明の実施の形態に係る植物補光システムにおいて、レール部の変形例の概略構成を示す斜視図
【図４】本発明の実施の形態に係る植物補光システムにおいて、レール部の他の変形例の概略構成を示す断面図
【図５】本発明の実施の形態に係る植物補光システムにおいて、邪魔板の概略構成を示す斜視図
【図６】本発明の実施の形態に係る植物補光システムにおいて、邪魔板の動作を説明するための斜視図
【図７】本発明の実施の形態に係る植物補光システムにおいて、発光部の概略構成を示す斜視図
【図８】本発明の実施の形態に係る植物補光システムにおいて、光源部の概略構成を示す断面図
【図９】本発明の実施の形態に係る植物補光システムにおいて、発光部の変形例の概略構成を示す断面図
【図１０】本発明の実施の形態に係る植物補光システムにおいて、レール部から非接触給電される光源部の概略構成を示すブロック図
【図１１】本発明の実施の形態に係る植物補光システムにおいて、送り装置のみに給電機能がある場合の動作手順を説明するためのフローチャート
【図１２】本発明の実施の形態に係る植物補光システムにおいて、レール部のみに給電機能がある場合の動作手順を説明するためのフローチャート
【図１３】本発明の実施の形態に係る植物補光システムにおいて、栽培現場における設置作業手順を説明するためのフローチャート
【発明を実施するための形態】
【００２８】
以下、本発明の実施の形態に係る植物補光システムについて、図面を用いて説明する。
【００２９】
図１は、本発明の実施の形態に係る植物補光システムの概略構成を示す図である。
【００３０】
図１において、本実施の形態の植物補光システム１は、植えられた植物Ｐの周囲で上部から下部に渡って傾斜し、連続して張り巡らされたレール部１０と、レール部１０上をその最上端から最下端に向かって転がり落ちる球体の発光部２０と、レール部１０の最下端へ到達した発光部２０を最上端へ移送する送り装置３０と、システムの各部を動作させるための電源部４０を備えて構成される。
【００３１】
レール部１０は、発光部２０を決まった経路で移動させるためのガイド機能を有するもので、図２に示すように、２本の略平行に並んだ長さが数十ｃｍ乃至１ｍの丸棒状のレール１０１、１０１を植物Ｐの高いところから低い方へ全体的に傾斜するように連結して構成される。なお、２本のレール１０１、１０１の間隔は、発光部２０の直径より若干小さい、例えば１０ｃｍ以下に保持される。これにより、発光部２０がレール部１０をその隙間からこぼれ落ちることなく、傾斜に従って転がり落ちることができる。
【００３２】
このレール部１０は、発光部２０を転がり落ちている間に給電する場合は、導電路の機能を有する必要があるため、レール１０１の端部は、それぞれ凸同士、凹同士の組み合わせで指し込んで連結され、連結すると同時に内部にあるケーブルの端子と端子が電気的に接続されるようにする。
【００３３】
なお、レール部１０に替えて、図３に示すような樋状に形成したレール部１１であってもよい。この場合は、発光部２０を転がり落ちている間に給電するために、樋内に導電路としてのケーブルが内装される。
【００３４】
また、図４の断面図に示すように、管状に形成したレール部１２であってもよい。レール部１２には、その上部にスリット１２１を有し、発光部２０から放射される光の方向をスリット１２１のある方向に定めて補光の効率を向上させることができる。
【００３５】
レール部１０〜１２の材質は、本実施の形態の植物補光システム１をビニルハウスや屋内で使用することが基本となるため、湿気や紫外線に強いものが望ましい。例えば、アルミニウム合金やチタン合金、耐食性のあるステンレス鋼が適用可能である。また、植物Ｐの生育に合わせて送り装置を伸縮可能に構成し、レールの高さを高くできるように構成してもよい。また、レールを継ぎ足すことができるように構成してもよい。
【００３６】
また、樹脂を使用することもできる。例えば、紫外線に強い塩化ビニル、シリコン樹脂、フッ素系樹脂などが望ましい。更に、強度を上げるために塩化ビニルパイプの内部に鉄などの金属管が内装されていればより望ましい。
【００３７】
なお、レール部１０〜１２において、発光部２０に非接触給電をする場合は、レール上若しくは樋上に、給電のための鉄心に銅線を巻いたコイルを設置する。コイルの設置はレールの長さにあわせて連続的に行う。また、コイルの裏側（発光部がある方の反対側）には、ノイズの発生を防ぐための磁気遮蔽板を設置することが望ましい。
【００３８】
また、発光部２０がレール部１０上を転がり落ちる際に、そのスピードやタイミングを制御するために、２本のレール間に、図５に示すような邪魔板１３を設ける。
【００３９】
邪魔板１３は、転がり落ちる発光部２０を止める方向に、自動的に突出したり引っ込んだりする平板、若しくは棒で構成される。また、強く押すことにより引っ込むように、板バネで構成してもよい。あるいは、レール表面に粗面加工を行うなどの方法により摩擦係数を高めるようにしてもよい。
【００４０】
さらにまた、邪魔板１３を設けることにより、例えば図６に示すように、複数の発光部が転がってきて溜まり、ある重さを超えると邪魔板１３が引っ込むようにすることで、発光部２０の転がり落ちる速度を自動的に制御することができる。基本的に植物に対しては、ゆっくり動かした方が補光の効果が上がると一般に言われている。
【００４１】
図７は、発光部２０の概略構成を示す斜視図である。
【００４２】
図７において、発光部２０は、液体Ｌが収容される中空で球体とした透明または半透明の合成樹脂で形成された容器２１と、この容器２１内に収容された光源部２２から構成される。光源部２２は、容器２１内の液体Ｌに浮遊して常に正姿勢を保つことにより、光源部２２から照射される光が常に特定の方向に向くようにしている。
【００４３】
液体Ｌは、通常、水を用いるが、必要に応じて油など水以外の液体を用いることもできる。この液体Ｌの収容量は、光源部２２を浮遊させたときの液面が、容器２１の略中心乃至下方となるようにするのが、容器２１内における光源部２２の収容部を広くできるので好ましい。また、液体Ｌは比重の大きいもので構成し、光源部２２が液体Ｌに浮くように構成するのが望ましい。
【００４４】
図８は、光源部２２の概略構成を示す断面図である。
【００４５】
図８において、光源部２２は、基板２２１表面のパッド２２２上に、給電部（パッド）２２３からボンディングワイヤＷを介して給電されるＬＥＤチップ２２４が実装され、基板２２１の裏面に一次電池である電池２２５とコイル２２６が実装されて、全体を透明な樹脂２２７で球形状に封止して形成される。なお、必要に応じて電池２２５からＬＥＤチップ２２４に供給される電流をオンオフするためのディップスイッチが付加される。
【００４６】
基板２２１は、比較的硬くて透明なもの、或いは白色系で拡散するタイプや殆ど拡散しないタイプの、例えば、ガラス、ポリカーボネートやアクリル、及び塩化ビニル等の光透過性の樹脂から形成される。
【００４７】
給電部２２３は、銅やアルミニウムどの導電性材料から構成される。
【００４８】
なお、光源部２２は、図９に示すように、その下部に車輪２２８を付加し、車輪２２８を介してレール１０１、１０１上を転がり落ちる構成にしてもよい。この場合は光源部２２は球状でなくてもよく、必要に応じて適宜所望の形状をとるようにしてもよい。
【００４９】
ＬＥＤチップ２２４は、電池２２５から電源の供給を受けて発光し、植物Ｐに必要な波長及び光強度を有する光を照射するものである。例えば、植物Ｐの病害防除を目的とする場合は、２８０〜３１５ｎｍに中心波長を有するＵＶ−Ｂが含まれていることが望ましく、その光強度は植物Ｐの近傍で５０μｗ／ｃｍ２以下とする。
【００５０】
また、植物Ｐの花芽を積極的に形成させることを目的とする場合は、波長７００〜８００ｎｍにピークを有する遠赤外色を少なくともその波長域に含む光であり、更に、光合成を促す場合は、発光波長の６００〜７００ｎｍにピークを有する赤色を少なくともその波長域に含むＬＥＤを用いる。
【００５１】
更に、植物Ｐの草丈を低くすることを目的とする場合は、発光波長の４００〜５００ｎｍにピークを有する青色を少なくともその波長域に含むＬＥＤを用いる。
【００５２】
なお、ＬＥＤチップ２２４に替えて、白熱電球、ハロゲン電球、蛍光灯、高輝度放電灯等の管球照明灯も使用可能であるが、サイズが大きく、且つランプ交換がしにくい構造になるため、ＬＥＤの他では有機エレクトロルミネセンス等の長寿命のものが適している。
【００５３】
ところで、ＬＥＤチップ２２４への電源の供給に使用する電池には、２種類ある。一つは図８に示した使い切りの一次電池２２５であり、他は充電して繰り返し使用することのできる二次電池、即ち蓄電池である。
【００５４】
本実施の形態の植物補光システム１では、レール部１０〜１２や送り装置３０に給電機能がある場合は蓄電池を使用し、給電機能がない場合は一次電池を使用する。
【００５５】
蓄電池に対して、レール部１０から電源が接触給電される場合は、光源部２０の容器２１外部に陽極と陰極の各端子を有し、それぞれレール部１０のレール１１、１１に片方ずつ接触する。一方、レール部１０から電源を非接触給電される場合は、内部に受電用のコイルを備えた光源部２３を使用する。
【００５６】
図１０は、受電用のコイルを備えた光源部２３の概略構成を示すブロック図である。
【００５７】
図１０において、光源部２３は、ＬＥＤチップ２２４、コイル２３１、整流回路２３２、蓄電池２３３及びＬＥＤ駆動回路２３４から構成される。
【００５８】
このように構成された光源部２３は、レール部１０のレール上に設置されたコイルに高周波電流を流すことによって発生する磁束によりコイル２３１に誘導起電力が生じ、これを整流回路２３２により直流に変換して蓄電池２３３を充電する。ＬＥＤチップ２２４は、充電された蓄電池２３３から電流が供給されるＬＥＤ駆動回路２３４によって点灯される。
【００５９】
送り装置３０は、図１に示すようなバケットコンベアであり、上下方向に所定の間隔を置いて設置された上部プーリ３０１及び下部プーリ３０２と、上部プーリ３０１と下部プーリ３０２に掛け回された無端ベルト３０３と、無端ベルト３０３の外周面に所定の間隔をおいて係止された複数のバケット３０４を備え、上部プーリ３０１又は下部プーリ３０２を不図示の駆動モータにより回転させることで、無端ベルト３０３が一方向に回動する構成である。
【００６０】
上部プーリ３０１の高さ位置は、植物Ｐが植えられた現場に応じて変更されるが、トマト栽培の場合は略２ｍである。
【００６１】
無端ベルト３０３は、ゴム等の弾性材から構成され、幅方向の中央に発光部２０の直径よりやや長い溝が切られており、その溝にバケット３０４が係止される。
【００６２】
なお、上部プーリ３０１と下部プーリ３０２、及び無端ベルト３０３に替えて、上下方向に所定の間隔を置いて設置された２つのスプロケットホイールと、両スプロケットホイール間に無端状に捲回されるチェーンを用いる構成であってもよい。
【００６３】
バケット３０４は、発光部２０の略下半分を保持可能な椀状に形成され、発光部２０を載置して上昇する時は窪みが上向きになり、発光部２０をレール部１０の最上端に移送した後の下降中は下向きになる。
【００６４】
このバケット３０４が給電機能を有する場合は、窪みの発光部２０と触れる部分に、光源部２２の蓄電池を接触給電によって充電するための陽極と陰極の各端子が設置される。また、光源部２３の蓄電池２３３を非接触給電によって充電する場合は、窪みに鉄心に銅線を巻いたコイルが内装される。
【００６５】
送り装置３０の下端部には、植物Ｐの生育状況に応じて送り装置３０及びレール１０を上下させる不図示の伸縮機構を備える。これにより、植物Ｐの生育状況に応じて適切に補光を行うことができる。
【００６６】
電源部４０は、商用電源ＡＣから発光部２０及び送り装置３０の動作電源を生成して供給する。
【００６７】
次に、このように構成された本実施の形態の植物補光システム１の動作について説明する。
【００６８】
まず、送り装置３０に給電機能がある場合の動作について説明する。図１１は、送り装置３０に給電機能がある場合の動作手順を説明するためのフローチャートである。
【００６９】
ステップＳ１０１において、バケット３０４のいくつかに発光部２０を載置する。
【００７０】
次いで、送り装置３０のスイッチをオンすると（ステップＳ１０２）、発光部２０を載置したバケット３０４が上昇を開始する（ステップＳ１０３）。上昇の間、バケット３０４に設置した陽極と陰極の各端子に通電し、発光部２０の蓄電池を充電する（ステップＳ１０４）。
【００７１】
発光部２０を載置したバケット３０４がレール部１０の最上端に達すると（ステップＳ１０５）、発光部２０は自動的にレール部１０に移動し（ステップＳ１０６）、点灯を開始する（ステップＳ１０７）。
【００７２】
このとき、発光部２０の点灯トリガは限定されないが、例えば、発光部２０をバケット３０４に載置した際に、底部に設置された磁石に光源部２２が吸引されることでスイッチが押され、ブレーク接点が開いて消灯し、発光部２０がレール部１０に移動して磁力が及ばなくなると、スイッチが復帰してブレーク接点が閉じ、発光部２０が点灯する。
【００７３】
ステップＳ１０８では、発光部２０がレール部１０を転がり落ちながら、植物Ｐに光を照射する。
【００７４】
発光部２０は、レール部１０の最下端に到達すると（ステップＳ１０９）、自動的に送り装置３０のバケット３０４に移動し（ステップＳ１１０）、ステップＳ１０３に戻り以降の手順を繰り返す。
【００７５】
なお、植物の種類によっては、夜間に光が照射されると花芽がつかなかったり、或いは生育が遅れるなどの問題があるが、その場合はタイマーによって夜間は自動的に電源をオフ状態にする。
【００７６】
次に、レール部１０に給電機能がある場合の動作について説明する。図１２は、レール部１０に給電機能がある場合の動作手順を説明するためのフローチャートである。
【００７７】
ステップＳ２０１〜Ｓ２０３、Ｓ２０４〜７の手順は、図１１に示したフローチャートのそれぞれステップＳ１０１〜Ｓ１０３、Ｓ１０５〜Ｓ１０８の手順と同じであり、説明を省略する。
【００７８】
ステップＳ２０８では、発光部２０がレール部１０を転がり落ちながら、蓄電池が充電される。
【００７９】
続くステップＳ２０９、Ｓ２１０の手順は、図１０に示したフローチャートのそれぞれステップＳ１０９、Ｓ１１０の手順と同じであり、説明を省略する。
【００８０】
次に、このように構成された本実施の形態の植物補光システム１の栽培現場における設置作業について説明する。図１３は、植物補光システム１の設置作業手順を説明するためのフローチャートである。
【００８１】
まず、ステップＳ３０１において、植えられた植物Ｐ群の周囲に支柱を立てる。
【００８２】
次いで、支柱の任意の位置にレール部１０を固定するためのレール留め具を設置する（ステップＳ３０２）。
【００８３】
そして、レール部１０をレール留め具に取り付け、固定する（ステップＳ３０３）。
【００８４】
続いて、レール部１０の上下端を送り装置３０のそれぞれ上下部に取り付け、作業を終了する。
【００８５】
次に、本発明の実施の形態に係る植物補光システム１の評価方法について説明する。
【００８６】
植物の種類とそれに必要な照射光量、及び照射光の波長については、これまである程度発表されているので、植物Ｐが必要とする光の光量や波長を栽培現場できちんと確認する必要がある。
【００８７】
また、照射時間についても、発光部２０がレール部１０上をその傾斜に従って自然に転がり落ちると、殆どの場合は早く通過してしまい、光が効率的に植物Ｐに作用しないので、なるべく１つの植物Ｐ、又は１つの部位に長く照射されるようにすることが望ましい。
【００８８】
それらを実現するには、前述した邪魔板１３を利用して、任意のタイミングで発光部２０を一時的に停止或いは進め、又は、レール部１０の傾きを限りなく小さくする。更に、植物Ｐの１本だけの周りを多く回るようにすることで、植物Ｐの内外で同じ部位に光が当るようにして照射時間を評価する。
【００８９】
比較として、植物Ｐの上部に比較的大きな光量子量を出射し得る光源を設置して補光した場合、植物Ｐの側方に小型かつ光量子量の少ない光源を複数設置して補光した場合、及び補光をしなかった場合とを用意して植物Ｐの栽培試験を行った。
【００９０】
その際に、使用する光源からの単位時間当りの光量子量又は消費電力をすべて揃える場合、植物Ｐに照射される照度の平均値を揃える場合をパラメータにする。この評価により、前者の場合は省エネルギーとしての効果が評価でき、後者の場合は栽培効率等の観点での効果が確認できる。
【００９１】
評価結果は次の通りであった。
【００９２】
まず、光源から放射される単位時間当りの光量子量を揃えて、植物Ｐの上部から照射した場合では、本発明と比べて上部により多くの光が照射されたため、非常に良い栽培促進効果が得られたが、下部に対する補光作用がほとんど得られなかった。
【００９３】
一方、植物Ｐの側方に小型かつ光量子量の少ない光源を複数設置して補光した場合は、本発明と比べると補光的な効果は同程度得られたが、器具の設置台数が非常に多くなった。
【００９４】
次に、植物Ｐの葉に照射される照度の平均値を揃えて、植物Ｐの上部から照射した場合では、上部への光が集中し過ぎたため、下の葉も加味して平均値を揃えると本発明の方がバランス良く補光ができた。また、上部から照射する場合は無駄な方向に放射される光が多いため、光量子量を揃えた場合よりも更に消費電力が増える傾向を示した。
【００９５】
一方、植物Ｐの側方に小型かつ光量子量の少ない光源を複数設置して補光した場合は、光量子量を揃えた場合と同様に補光効果は同程度であったが、器具の設置台数が増える傾向を示した。
【００９６】
以上説明したように、このような本発明の実施の形態に係る植物補光システムによれば、植えられた植物の周囲に傾斜して張り巡らされるレール部と、レール部上をその最上端から最下端へ向かって転がり落ちながら、植物に対して光を照射する球体の発光部と、レール部の最下端へ到達した前記発光部を、レール部の最上端へ移送する送り装置を備えて構成することで、植えられた植物の生育状況に応じて、適切な補光を行うことができる。
【００９７】
なお、本発明の実施の形態に係る植物補光システムは、イルミネーションに転用可能であり、又は、イルミネーションを兼ねる植物補光システムとしても有用である。
【符号の説明】
【００９８】
１  植物補光システム
１０〜１２  レール部
１３  邪魔板
２０  発光部
２２、２３  光源部
２２４  ＬＥＤチップ
２２５  電池
３０  送り装置
３０４  バケット
Ｐ  植物
【図１】
2011092022.tif 000003
【図２】
2011092022.tif 000004
【図３】
2011092022.tif 000005
【図４】
2011092022.tif 000006
【図５】
2011092022.tif 000007
【図６】
2011092022.tif 000008
【図７】
2011092022.tif 000009
【図８】
2011092022.tif 000010
【図９】
2011092022.tif 000011
【図１０】
2011092022.tif 000012
【図１１】
2011092022.tif 000013
【図１２】
2011092022.tif 000014
【図１３】
2011092022.tif 000015